(57)【要約】【課題】ユーザの操作を必要とせずに、ユーザの周囲から収集した情報をもとに、ユーザが遭遇した広告に関する情報を提供することができる広告閲覧システムおよび広告閲覧方法を提供する。【解決手段】携帯端末２０と情報連携サーバ３０とＷｅｂサーバ４０とを含み、携帯端末２０は、位置情報ログまたは音声情報ログを収集し、収集した位置情報ログまたは音声情報ログを情報連携サーバ３０に送信し、情報連携サーバ３０は、広告を特定するための情報を含む広告情報が１つまたは複数登録された広告情報リストを記憶する記憶手段３１と、受信した位置情報ログまたは音声情報ログに対応した広告を広告情報リストから抽出する抽出手段３２と、抽出された広告に関する情報が登録された広告抽出リストをＷｅｂサーバ４０に送信する送信手段３３とを含み、Ｗｅｂサーバ４０は、受信した広告抽出リストをＷｅｂページとして提供する。【選択図】図４
2012198797.tif 000002
【特許請求の範囲】
【請求項１】
ユーザが遭遇した広告に関する情報を提供する広告閲覧システムであって、
携帯端末と情報連携サーバとＷｅｂサーバとを含み、
前記携帯端末は、位置情報ログまたは音声情報ログを収集し、収集した前記位置情報ログまたは前記音声情報ログを前記情報連携サーバに送信し、
前記情報連携サーバは、広告を特定するための情報を含む広告情報が１つまたは複数登録された広告情報リストを記憶する記憶手段と、受信した位置情報ログまたは音声情報ログに対応した広告を前記広告情報リストから抽出する抽出手段と、抽出された前記広告に関する情報が登録された広告抽出リストを前記Ｗｅｂサーバに送信する送信手段とを含み、
前記Ｗｅｂサーバは、受信した広告抽出リストをＷｅｂページとして提供する
ことを特徴とする広告閲覧システム。
【請求項２】
広告情報は、広告を特定するための位置特定情報を含み、
情報連携サーバにおける抽出手段は、位置情報ログに含まれる位置情報と、広告情報リストに登録されている広告情報の位置特定情報とを比較し、前記位置情報に対応した広告を前記広告情報リストから抽出する
請求項１に記載の広告閲覧システム。
【請求項３】
広告情報は、広告を特定するための音声特定情報を含み、
情報連携サーバにおける抽出手段は、音声情報ログに含まれる音声情報と、広告情報リストに登録されている広告情報の音声特定情報とを比較し、前記音声情報に対応した広告を前記広告情報リストから抽出する
請求項１または請求項２に記載の広告閲覧システム。
【請求項４】
広告情報は、楽曲を特定するための楽曲特定情報を含み、
情報連携サーバにおける抽出手段は、音声情報ログに含まれる音声情報と、広告情報リストに登録されている広告情報の楽曲特定情報とを比較し、前記音声情報に対応した楽曲を前記広告情報リストから抽出し、抽出した前記楽曲に関する情報を広告抽出リストに登録する
請求項１から請求項３のいずれか１項に記載の広告閲覧システム。
【請求項５】
携帯端末と情報連携サーバとＷｅｂサーバとを含む広告閲覧システムにおいて、ユーザが遭遇した広告に関する情報を提供する広告閲覧方法であって、
前記携帯端末は、位置情報ログまたは音声情報ログを収集し、収集した前記位置情報ログまたは前記音声情報ログを前記情報連携サーバに送信し、
前記情報連携サーバは、広告を特定するための情報を含む広告情報が１つまたは複数登録された広告情報リストを記憶し、受信した位置情報ログまたは音声情報ログに対応した広告を前記広告情報リストから抽出し、抽出された前記広告に関する情報が登録された広告抽出リストを前記Ｗｅｂサーバに送信し、
前記Ｗｅｂサーバは、受信した広告抽出リストをＷｅｂページとして提供する
ことを特徴とする広告閲覧方法。
【請求項６】
広告情報は、広告を特定するための位置特定情報を含み、
情報連携サーバは、位置情報ログに含まれる位置情報と、広告情報リストに登録されている広告情報の位置特定情報とを比較し、前記位置情報に対応した広告を前記広告情報リストから抽出する
請求項５に記載の広告閲覧方法。
【請求項７】
広告情報は、広告を特定するための音声特定情報を含み、
情報連携サーバは、音声情報ログに含まれる音声情報と、広告情報リストに登録されている広告情報の音声特定情報とを比較し、前記音声情報に対応した広告を前記広告情報リストから抽出する
請求項５または請求項６に記載の広告閲覧方法。
【発明の詳細な説明】
【技術分野】
【０００１】
本発明は、携帯端末を利用した広告閲覧システムおよび広告閲覧方法に関する。
【背景技術】
【０００２】
ユーザが、街中の広告、電車の吊り広告、テレビまたはラジオで流れている広告などを見聞きしたときに、その場で携帯電話を使って調べたり、後で確認するためにメモを取ったりすることがある。しかし、携帯電話を使って調べたり、メモを取ったりできない場合には、その後に記憶に頼ってその広告に関する情報にアクセスしなければならないので、広告の名称などを忘れてしまったときにはその情報にアクセスすることができない。
【０００３】
情報出力装置が出力する広告映像に利用者が関心を持った場合に、利用者が携帯端末の専用ボタンを押して、広告映像を見たときの時刻および位置情報を携帯端末に記憶させ、携帯端末に記憶させた時刻および位置情報をセンター装置に送信して、センター装置からその時刻および位置情報に対応した広告に関する情報を取得するシステムが提案されている（例えば、特許文献１参照。）。
【先行技術文献】
【特許文献】
【０００４】
【特許文献１】特開２００４−３４８６１０号公報
【発明の概要】
【発明が解決しようとする課題】
【０００５】
特許文献１に記載されたシステムでは、情報出力装置が出力する広告映像に関する情報しか取得することができず、情報出力装置が設置されていない場所で利用者が見聞きした広告に関する情報については、センター装置から取得することができない。また、広告映像を見たときの時刻および位置情報を利用者が専用ボタンで携帯電話に記憶させる必要がある。
【０００６】
そこで、本発明は、ユーザの操作を必要とせずに、ユーザの周囲から収集した情報をもとに、ユーザが遭遇した広告に関する情報を提供することができる広告閲覧システムおよび広告閲覧方法を提供することを目的とする。
【課題を解決するための手段】
【０００７】
本発明による広告閲覧システムは、ユーザが遭遇した広告に関する情報を提供する広告閲覧システムであって、携帯端末と情報連携サーバとＷｅｂサーバとを含み、携帯端末は、位置情報ログまたは音声情報ログを収集し、収集した位置情報ログまたは音声情報ログを情報連携サーバに送信し、情報連携サーバは、広告を特定するための情報を含む広告情報が１つまたは複数登録された広告情報リストを記憶する記憶手段と、受信した位置情報ログまたは音声情報ログに対応した広告を広告情報リストから抽出する抽出手段と、抽出された広告に関する情報が登録された広告抽出リストをＷｅｂサーバに送信する送信手段とを含み、Ｗｅｂサーバは、受信した広告抽出リストをＷｅｂページとして提供することを特徴とする。
【０００８】
本発明による広告閲覧方法は、携帯端末と情報連携サーバとＷｅｂサーバとを含む広告閲覧システムにおいて、ユーザが遭遇した広告に関する情報を提供する広告閲覧方法であって、携帯端末は、位置情報ログまたは音声情報ログを収集し、収集した位置情報ログまたは音声情報ログを情報連携サーバに送信し、情報連携サーバは、広告を特定するための情報を含む広告情報が１つまたは複数登録された広告情報リストを記憶し、受信した位置情報ログまたは音声情報ログに対応した広告を広告情報リストから抽出し、抽出された広告に関する情報が登録された広告抽出リストをＷｅｂサーバに送信し、Ｗｅｂサーバは、受信した広告抽出リストをＷｅｂページとして提供することを特徴とする。
【発明の効果】
【０００９】
本発明によれば、ユーザの操作を必要とせずに、ユーザの周囲から収集した情報をもとに、ユーザが遭遇した広告に関する情報を提供することができる。
【図面の簡単な説明】
【００１０】
【図１】本発明による広告閲覧システムの第１の実施形態の構成を示すブロック図である。
【図２】第１の実施形態における広告情報リストの一例を示す説明図である。
【図３】本発明による広告閲覧システムの第１の実施形態の動作を示すシーケンス図である。
【図４】本発明による広告閲覧システムの主要部を示すブロック図である。
【発明を実施するための形態】
【００１１】
実施形態１．
以下、本発明の第１の実施形態を図面を参照して説明する。
【００１２】
図１は、本発明による広告閲覧システムの第１の実施形態の構成を示すブロック図である。
【００１３】
図１に示すように、広告閲覧システム１００は、携帯端末２００と、情報連携サーバ３００と、Ｗｅｂサーバ４００とを備える。携帯端末２００と情報連携サーバ３００とＷｅｂサーバ４００とは、ネットワーク５００を介して通信可能に接続されている。図１には、１つの携帯端末２００が例示されているが、携帯端末はいくつあってもよい。
【００１４】
携帯端末２００は、例えば、携帯電話やスマートフォンなどであって、携帯電話網を介してネットワーク５００に接続されている。
【００１５】
携帯端末２００は、ＧＰＳ機能を備え、携帯端末２００の現在位置を定期的に測定し、測定によって得られた位置情報を位置情報ログに記憶する。位置情報とは、例えば、緯度経度である。また、位置情報と併せて、位置情報を測定した時間を位置情報ログに記憶する。携帯端末２００は、ネットワーク５００を介して、位置情報ログを一定時間ごとに情報連携サーバ３００に送信する。
【００１６】
携帯端末２００は、マイクなどの音声入力装置を備え、携帯端末２００の周囲の音声を入力する。携帯端末２００は、音声入力装置から入力された音声をデジタル化して音声データを生成し、生成した音声データを音声情報ログに記憶する。また、音声情報と併せて、音声データを生成した時間を音声情報ログに記憶する。携帯端末２００は、ネットワーク５００を介して、音声情報ログを一定時間ごとに情報連携サーバ３００に送信する。
【００１７】
情報連携サーバ３００は、広告情報リストおよび広告抽出リストを記憶する記憶手段（図示せず）を有する。図２は、第１の実施形態における広告情報リストの一例を示す説明図である。広告情報リストには、１つまたは複数の広告情報が登録される。広告情報とは、広告データと、その広告データを出稿している場所と、出稿している場所の緯度経度を示す位置特定情報と、テレビやラジオ番組を特定するための音声特定情報と、広告を掲載している期間と、広告を掲載している時間帯とを含む情報である。広告データとは、広告代理店などが出稿している街中の広告や、電車の吊り広告や、テレビのＣＭ（コマーシャル）またはラジオのＣＭなどのタイトルと、その広告やＣＭの詳細が掲載されているホームページのＵＲＬとを含むデータである。音声特定情報は、テレビやラジオ番組で流れる音楽などの音声データである。図２では、音声特定情報として、ＭＰ３形式の音声データ（ｙｙｙ．ｍｐ３）が例示されているが、ＭＰ３形式以外の音声データであってもよい。
【００１８】
情報連携サーバ３００は、携帯端末２００から受信した位置情報ログおよび音声情報ログを解析し、広告情報リストに登録されている広告情報と位置情報ログおよび音声情報ログの解析結果とのマッチングを行い、マッチングによって抽出された広告に関する情報を広告抽出リストに登録する。広告に関する情報とは、例えば、広告データである。
【００１９】
情報連携サーバ３００は、広告抽出リストを、Ｗｅｂサーバ４００に送信する。広告抽出リストは、Ｗｅｂサーバ４００上のＷｅｂページとして、ネットワーク５００に接続された端末などから参照される。広告抽出リストは、例えば、ＨＴＭLデータである。また、ネットワーク５００に携帯端末が複数接続されている場合には、情報連携サーバ３００は、携帯端末ごとに広告抽出リストを作成し、携帯端末が有する電話番号などの識別情報を使用して各携帯端末の広告抽出リストを識別するようにすればよい。
【００２０】
Ｗｅｂサーバ４００は、受信した広告抽出リストを所定のディレクトリに格納する。Ｗｅｂサーバ４００は、ネットワーク５００に接続された端末などが備えるＷｅｂブラウザに、広告抽出リストをＷｅｂページとして提供する。
【００２１】
次に、本実施形態の動作を説明する。
【００２２】
図１に示すように、ユーザ端末６００および代理店端末７００が、ネットワーク５００に接続されている。
【００２３】
ユーザ端末６００は、Ｗｅｂブラウザを備えたパソコンなどの端末である。図１には、１つのユーザ端末６００が例示されているが、ユーザ端末はいくつあってもよい。
【００２４】
代理店端末７００は、情報連携サーバ３００に広告情報の登録を行う代理店などが使用するパソコンなどの端末である。なお、図１には、１つの代理店端末７００が例示されているが、広告情報の登録を行う代理店が複数ある場合には、それぞれの代理店の代理店端末がネットワーク５００に接続されていてもよい。
【００２５】
図３は、本発明による広告閲覧システムの第１の実施形態の動作を示すシーケンス図である。
【００２６】
代理店端末７００は、情報連携サーバ３００に対して、広告情報を送信する（ステップＳ３０１）。ステップＳ３０１において送信される広告情報は、代理店端末７００を使用する代理店などが電車の吊り広告や、テレビＣＭや、ラジオＣＭなどに出稿している広告に対応する広告情報である。情報連携サーバ３００は、受信した広告情報を広告情報リストに追加する。
【００２７】
携帯端末２００は、位置情報ログおよび音声情報ログを収集する（ステップＳ３０２）。位置情報ログおよび音声情報ログの収集は、携帯端末２００の電源が投入されたときに開始されることが望ましい。
【００２８】
携帯端末２００は、ステップＳ３０２において収集された位置情報ログおよび音声情報ログを情報連携サーバ３００に送信する（ステップＳ３０３）。情報連携サーバ３００は、受信した位置情報ログおよび音声情報ログを解析する（ステップＳ３０４）。
【００２９】
情報連携サーバ３００は、位置情報ログに含まれる位置情報および位置情報の測定時間を解析して、携帯端末２００のユーザがどこにいるのか、および、ユーザの移動手段が徒歩であるのか、電車またはバスであるのかを推測する。例えば、位置情報および位置情報の測定時間から移動速度を求めて、移動速度から徒歩であるか否かを推測する。また、移動経路を求めて、ユーザが利用した電車やバスの路線や車両を推測する。
【００３０】
また、情報連携サーバ３００は、音声情報ログに含まれる音声情報および音声情報の生成時間を解析して、ユーザが視聴しているテレビ番組またはラジオ番組を推測する。テレビ番組またはラジオ番組を推測する方法としては、例えば、音声指紋（フィンガープリント）技術がある。音声フィンガープリント技術を利用する場合には、情報連携サーバ３００は、音声情報ログに含まれる音声情報から得られる音声指紋（フィンガープリント情報）と、広告情報リストに登録された広告情報の音声特定情報から得られるフィンガープリント情報との比較を行う。なお、広告情報リストに登録された広告情報の音声特定情報に、予め、テレビやラジオ番組で流れる音楽などの音声データのフィンガープリント情報を登録しておいてもよい。また、携帯端末２００が、フィンガープリント情報を音声情報として音声情報ログに記憶するようにしてもよい。
【００３１】
情報連携サーバ３００は、ステップＳ３０４の解析結果と、広告情報リストに登録されている広告情報とのマッチングを行う（ステップＳ３０５）。情報連携サーバ３００は、広告抽出リストに、マッチングによって抽出された広告に関する情報を時間軸に従って追加する（ステップＳ３０６）。広告抽出リストには、当日分だけでなく、過去１週間分など一定期間の情報を登録できるようにしてもよい。
【００３２】
情報連携サーバ３００は、広告抽出リストをＷｅｂサーバ４００に送信する（ステップＳ３０７）。Ｗｅｂサーバ４００は、広告抽出リストを所定のディレクトリに格納する。
【００３３】
ステップＳ３０７の後、携帯端末２００が継続して位置情報ログおよび音声情報ログの収集を行う場合は、ステップＳ３０２の処理に移行し、ステップＳ３０７までの処理を繰り返す。
【００３４】
携帯端末２００のユーザは、ユーザ端末６００が備えるＷｅｂブラウザを使用して、Ｗｅｂサーバ４００に登録されている広告抽出リストを閲覧する（ステップＳ３０８）。なお、携帯端末２００がＷｅｂブラウザを備えている場合は、携帯端末２００のユーザは携帯端末２００から広告抽出リストを閲覧してもよい。
【００３５】
以上に説明したように、本実施形態によれば、携帯端末２００のユーザは、Ｗｅｂサーバ４００に登録されている広告抽出リストを参照することができるので、ユーザ自身が遭遇した広告のリストを閲覧することができる。また、広告抽出リストに、広告が掲載されているＵＲＬが登録されている場合には、そのＵＲＬにアクセスすることによって、広告の詳細な情報を取得することができる。
【００３６】
なお、広告情報の広告データに楽曲名や楽曲の詳細が掲載されているホームページのＵＲＬなどを登録し、広告情報の音声特定情報に楽曲を特定するための情報（以下、楽曲特定情報という。）を登録するようにしてもよい。楽曲特定情報は、例えば、楽曲が記録されたＭＰ３形式のデータなどである。そのような形態によれば、ユーザは、ユーザが街中などで耳にした楽曲の曲名や詳細情報を、Ｗｅｂサーバ４００に登録されている広告抽出リストで閲覧することができる。
【００３７】
図４は、本発明による広告閲覧システムの主要部を示すブロック図である。図４に示すように、本発明による広告閲覧システムは、ユーザが遭遇した広告に関する情報を提供する広告閲覧システムであって、携帯端末２０（図１に示す広告閲覧システム１００における携帯端末２００に相当。）と情報連携サーバ３０（図１に示す広告閲覧システム１００における情報連携サーバ３００に相当。）とＷｅｂサーバ４０（図１に示す広告閲覧システム１００におけるＷｅｂサーバ４００に相当。）とを含み、携帯端末２０は、位置情報ログまたは音声情報ログを収集し、収集した位置情報ログまたは音声情報ログを情報連携サーバ３０に送信し、情報連携サーバ３０は、広告を特定するための情報を含む広告情報が１つまたは複数登録された広告情報リストを記憶する記憶手段３１と、受信した位置情報ログまたは音声情報ログに対応した広告を広告情報リストから抽出する抽出手段３２と、抽出された広告に関する情報が登録された広告抽出リストをＷｅｂサーバ４０に送信する送信手段３３とを含み、Ｗｅｂサーバ４０は、受信した広告抽出リストをＷｅｂページとして提供することを特徴とする。
【００３８】
上記の実施形態には、以下のような広告閲覧システムも開示されている。
【００３９】
（１）広告情報は、広告を特定するための位置特定情報を含み、情報連携サーバ３０における抽出手段３２は、位置情報ログに含まれる位置情報と、広告情報リストに登録されている広告情報の位置特定情報とを比較し、位置情報に対応した広告を広告情報リストから抽出する広告閲覧システム。
【００４０】
（２）広告情報は、広告を特定するための音声特定情報を含み、情報連携サーバ３０における抽出手段３２は、音声情報ログに含まれる音声情報と、広告情報リストに登録されている広告情報の音声特定情報とを比較し、音声情報に対応した広告を広告情報リストから抽出する広告閲覧システム。
【００４１】
（３）広告情報は、楽曲を特定するための楽曲特定情報を含み、情報連携サーバ３０における抽出手段３２は、音声情報ログに含まれる音声情報と、広告情報リストに登録されている広告情報の楽曲特定情報とを比較し、音声情報に対応した楽曲を広告情報リストから抽出し、抽出した楽曲に関する情報を広告抽出リストに登録する広告閲覧システム。
【符号の説明】
【００４２】
３１  記憶手段
３２  抽出手段
３３  送信手段
１００  広告閲覧システム
２０、２００  携帯端末
３０、３００  情報連携サーバ
４０、４００  Ｗｅｂサーバ
５００  ネットワーク
６００  ユーザ端末
７００  代理店端末
【図１】
2012198797.tif 000003
【図２】
2012198797.tif 000004
【図３】
2012198797.tif 000005
【図４】
2012198797.tif 000006